(57)【要約】      （修正有）【課題】レリーズスイッチを有するカメラ等の電池から電力を取り出す電池接片を有する電池接続装置において、導通抵抗を低く抑える。【解決手段】電池が電池収納室に収納され、前記電池切片が所定量収縮した際に、電池１０に電気的に接続されるバイパス部材１３を備えることで、バイパス経路の導通距離を最短にすることを可能とし、導通抵抗を低く抑える。なお、該バイパス部材は電池切片が板ばねの場合には電池切片と一体成型であり、板ばねの下部に設けられた弾性部材である。【選択図】図６
2007134228.tif 000002
【特許請求の範囲】
【請求項１】
電池から電力を取り出す電池接片を有する電池接続装置において、
電池が電池収納室に収納され、前記電池接片が所定量収縮した際に、電池に電気的に接続されるバイパス部材を有することを特徴とする電池接続装置。
【請求項２】
前記バイパス部材は前記電池接片と一体形成であることを特徴とする請求項１に記載の電池接続装置。
【請求項３】
前記電池接片が板ばねの場合、前記バイパス部材は電池接片と一体形成であり、板バネの下部に設けられていることを特徴とする請求項１又は請求項２に記載の電池接続装置。
【請求項４】
前記バイパス部材は、弾性部材であることを特徴とする請求項１〜請求項３のいずれか1項に記載の電池接続装置。
【請求項５】
前記バイパス部材は、前記電池接片に対して直線的に斜設されることを特徴とする請求項１〜請求項４のいずれか1項に記載の電池接続装置。
【請求項６】
前記電池接片がコイルばねの場合、前記バイパス部材は前記コイルばねの内部に設けることを特徴とする請求項１〜請求項５のいずれか1項に記載の電池接続装置。
【請求項７】
請求項１〜請求項６のいずれか１項記載の電池接続装置と、レリーズスイッチを有することを特徴とするカメラ。
【発明の詳細な説明】
【技術分野】
【０００１】
本発明は、電子機器に電力を供給するために電池収納室内に設けられる電池接片構造およびそれを用いたカメラに関する。
【背景技術】
【０００２】
電子機器においては一般的に電池を電池収納室内に着脱可能に装填する。この電池収納室内には、装填された電池を安定的に保持するべく、電池を電極方向に付勢する電池接片が設けられている。
【０００３】
そしてこのような電池接続装置においては、できる限り導通抵抗を低減し、また、電池の電力を安定的に電子機器に供給することが望まれている。
【０００４】
そして従来、電池接続装置に関して、電池収納ケース内の電池の一端側に電池の他端側を付勢するとともに導電性を有するスプリングが固定され、スプリングの電池との接触側端部に、電池収納ケースの側面の引き出し口の方向に延在する先端側先端部が形成されていて、当該先端側先端部にバイパスリード線の一端が半田により接続されていて、スプリングはその基端側の複数の屈曲部が電池収納ケースの一端側に係合されて、電池収納ケースの一端側に固定され、スプリングの電池収納ケース外の基端側先端部の先端に、バイパスリード線の他端が半田により接続されていて、その先端近傍に、電源リード線が半田により接続されている（特許文献１参照）。
【特許文献１】特開2005-026211号公報
【発明の開示】
【発明が解決しようとする課題】
【０００５】
しかしながら、このような従来技術においては、電池室に電池が装着される前からバイパス経路が電気的に接続されていることで導通距離が長くなってしまい、結果的に導通抵抗の低減効果は期待できない。
【０００６】
また、新規に部材を追加する必要があるため、作業工数の増加やコストの増加も招くことになる。
【課題を解決するための手段】
【０００７】
前記課題を解決し、目的を達成するために、本発明の電池接続装置は下記の如く構成されている。
【０００８】
本発明の電池接続装置は、電池から電力を取り出す電池接片を有する電池接続装置において、電池が電池収納室に収納され、前記電池切片が所定量収縮した際に、電池に電気的に接続されるバイパス部材と、を有することを特徴とする。
【０００９】
（１）本発明の電池接続装置は、電池から電力を取り出す電池接片において、前記電池接片は電池が電池収納室に収納された際に、電池に電気的に接続されるバイパス経路を有することを特徴としている。
【００１０】
（２）本発明の電池接続装置は、前記（１）に記載の接続装置であって、前記バイパス経路は前記電池接片および前記電池接片の一部をなす導電部材と一体形成であることを特徴としている。
【００１１】
（３）本発明の電池接続装置は、前記（１）又は（２）に記載の接続装置であって、前記電池接片が板ばねの場合、前記バイパス経路は電池接片と一体形成であることを特徴としている。
【００１２】
（４）本発明の電池接続装置は、前記（１）〜（３）のいずれかに記載の接続装置であって、前記バイパス部材は、弾性部材であることを特徴としている。
【００１３】
（５）本発明の電池接続装置は、前記（１）〜（４）のいずれかに記載の接続装置であって、前記バイパス部材は、前記電池接片に対して直線的に斜設されることを特徴としている。
【００１４】
（６）本発明の電池接続装置は、前記（１）〜（５）のいずれかに記載の接続装置であって、前記電池接片がコイルばねの場合、前記バイパス経路は前記コイルばねの内部に設けることを特徴としている。
【発明の効果】
【００１５】
請求項１記載の発明の構成によれば、電池から電力を取り出す電池接続装置において、電池が電池収納室に収納され、前記電池切片が所定量収縮したされた際に、電池に電気的に接続されるバイパス部材を有することで、バイパス経路の導通距離を最短にすることが可能であり、すなわち、導通抵抗を低く抑えることが可能である。
【００１６】
請求項２および請求項３記載の発明の構成によれば、前記バイパス経路が前記電池接片および前記電池接片の一部をなす導電部材と一体形成であることで、新規に部材を追加することなくバイパス経路を構成できる。
【００１７】
請求項４記載の発明の構成によれば、前記バイパス部材が弾性部材であることで、電池室に異なる大きさの電池が装着された場合においても、電池に対して安定した接触を保つことが可能である。
【００１８】
請求項５記載の発明の構成によれば、前記バイパス部材は、前記電池接片に対して直線的に斜設されることで、前記バイパス経路の導通距離が最短となり、導通抵抗を低く抑えることが可能となる。
【００１９】
請求項６記載の発明の構成によれば、前記電池接片がコイルばねの場合、前記バイパス経路を前記コイルばねの内部に設けることで、前記バイパス経路を設けることによるスペースの増加はなく、従来と同様のスペースで、導通抵抗の低減が可能となる。
【発明を実施するための最良の形態】
【００２０】
以下に本発明の実施例について説明する。
【実施例１】
【００２１】
図１〜図３のデジタルスチルカメラおよびデジタルスチルカメラの外部バッテリー装置の図面について説明する。
【００２２】
図１は、本発明の実施例１であるデジタルスチルカメラ（電子機器）に外部バッテリー装置を装着した際の外観図であり、図２は、デジタルスチルカメラの外部バッテリー装置の外観図である。
【００２３】
図１において、１はカメラ本体であり、カメラ内部には撮影を可能とするための各種部材、例えば、光学像を光電変換して画像データを生成する撮像素子や、ローパスフィルタおよびカメラ本体の動作を制御する制御回路が配置されている。
【００２４】
２は外部バッテリー装置であり、その内部に電源ユニット５を備え、デジタルスチルカメラ本体に装着されカメラ本体に電力を供給する。
【００２５】
３はレリーズボタンであり、半押しによって撮影準備動作（焦点調節動作および測光動作）が開始され、全押しによって撮影動作が開始される。
【００２６】
４はカメラ内蔵型ストロボであり、被写体に照明光を照射する照明ユニットである。
【００２７】
カメラ本体１の底面には図示しない電池蓋が取り付けられており、電池を出し入れする際に電池室の開口部を開閉する。
【００２８】
さらに図２の外部バッテリー装置において、６はデジタルスチルカメラ本体に電気信号を与える信号用端子である。外部バッテリー装置には、その内側に電池を装着するための着脱可能な電源ユニット５を設けている（図３）。図３において、７は電池の端子面と接触する複数設けられている電池接片である。
【００２９】
また、図４は本発明の第一の実施形態における電池接片７の拡大図である。電池接片はバイパス経路９を有する導電性の金属製の板材と、その上に一端が固定され他端が自由端となるコイルばね８とで構成される。板材には電池が装着された際に、電池端子面に接触するバイパス経路９が板材に対してある角度で斜設されている。
【００３０】
図５において、電池１０が装着されるとコイルばね８は弾性変形して圧縮され、さらに圧縮されると電池端子面に、斜設された導電性のバイパス経路９の先端が接触する。このバイパス経路は、電池接片７を構成する板材の一部から腕部として構成され、電池端子面の方向に板材からある角度で斜設されており、板ばね同様の効果すなわち変形量に応じて力量の変化する弾性を有しており、異なる大きさの電池に対しても安定して接触を保つことができる。
【００３１】
電池が装着された状態において、電池端子面から流れ出る電流はコイルばねとバイパス経路の両方を通過するため、バイパス経路が存在しないときと比べて導通抵抗を削減することが可能である。
【００３２】
また、電池が装着されていない状態においては、バイパス経路９の先端は電池端子面には接触しておらず、電気的に接続はされていない。次に、電池が装着されるとバイパス経路９は電池端子面に接触することで電気的に接続を開始する。この構成により、バイパス経路９の導通距離を短くすることが可能であり、また、直線的な形状を持つことで導通抵抗も低く抑えることができ、結果的に電池接片全体の導通抵抗も低くすることが可能となる。
【００３３】
さらに、バイパス経路９はコイルばね８を固定する導電性の板材と一体形成であることにより、新規に部材を追加することなくバイパス経路９を構成できるため、作業工数やコストをさほど増加させることなく導通抵抗の低減が可能となる。
【００３４】
またさらに、本実施例のように、電池接片にコイルばね８が使用されている場合において、バイパス経路はコイルばね８の内部に設けられており、バイパス経路９を設けることによる電池接片全体のスペースの増加にはならない。
【実施例２】
【００３５】
次に図６および図７を参照して、本発明の第二の実施形態にかかる電池接片について説明する。
【００３６】
図６は本発明の第二の実施形態における電池接片の拡大図である。電池接片１１はバイパス経路１３を有する導電性の金属材料であり、一端が電源ユニットに固定されており、他端が自由端となる板ばねである。板ばねの固定側部分からはバイパス経路となる腕部が斜設されている。
【００３７】
図７において、電池１０が装着されると板ばねは弾性変形して圧縮され、さらに圧縮されるとバイパス経路１３の先端が板ばねの自由端側に接触する。バイパス経路１３はその変形量に応じて力量の変化する弾性を有しており、異なる大きさの電池に対しても安定して接触を保つことができる。
【００３８】
電池１０が装着された状態において、電池端子面から流れ出る電流は板ばねとバイパス経路の両方を通過するため、バイパス経路が存在しないときに比べて導通抵抗を削減することが可能である。
【００３９】
また、電池１０が装着されていない状態においては、バイパス経路１３の先端は板ばねの自由端側には接触しておらず、電気的に接続はされていない。次に、電池１０が装着されるとバイパス経路１３は板ばねの自由端側に接触することで電気的に接続を開始する。この構成により、バイパス経路１３の導通距離を短くすることが可能であり、電池接片全体の導通抵抗も低くすることが可能となる。
【００４０】
さらに、バイパス経路１３は電池接片と一体形成とすることで、新規に部材を追加することなくバイパス経路１３を構成できるため、低コストで導通抵抗の低減が可能となる。
【００４１】
なお、本発明は実施例で説明したデジタルスチルカメラ以外にも、フィルムカメラやＣＤプレーヤーやラジオなどのポータブル機器、リモコン送信機、携帯型端末装置などの電子機器においても適用することができる。
【００４２】
［産業上の利用可能性］
導通抵抗が低くかつ安定して電気的接触を行う接点構造および当該接点構造を有する電池やＡＣアダプタ端末を電源として駆動および動作するデジタルスチルカメラなどの画像入力装置や携帯型端末装置などの各種装置に適用可能である。
【図面の簡単な説明】
【００４３】
【図１】デジタルスチルカメラおよびデジタルスチルカメラに装着された外部バッテリー装置の外観図。
【図２】外部バッテリー装置の外観図。
【図３】外部バッテリー装置内部の電源ユニットの外観図。
【図４】本発明の第一の実施形態を適用した電池接点構造の外観図。
【図５】本発明の第一の実施形態を適用した電池接点構造において電池を装着した際の正面図。
【図６】本発明の第二の実施形態を適用した電池接点構造の外観図。
【図７】本発明の第二の実施形態を適用した電池接点構造において電池を装着した際の正面図。
【符号の説明】
【００４４】
１  デジタルスチルカメラ本体
２  外部バッテリー装置
３  レリーズボタン
４  カメラ内蔵型ストロボ
５  電源ユニット
６  電源用端子
７  電池接片
８  コイルばね
９  バイパス経路
１０  電池
１１  板材
１２  電池接片
１３  バイパス経路
【図１】
2007134228.tif 000003
【図２】
2007134228.tif 000004
【図３】
2007134228.tif 000005
【図４】
2007134228.tif 000006
【図５】
2007134228.tif 000007
【図６】
2007134228.tif 000008
【図７】
2007134228.tif 000009